(57)【要約】      （修正有）【課題】回路基板に安定に実装される電気コネクタを提供する。【解決手段】基部と、前記基部から上向きに延出する舌片１２とを含む絶縁ハウジングと、前記舌片に保持される接触部を有し、前記絶縁ハウジングに装着される導電端子と、対向した一対の第一側板３１と、前記一対の第一側板を連接して対向した両第二側板３２とを含み、前記第一側板と第二側板により前記舌片を収容する収容空間３３が構成され、金属板で一体に成型される金属シェルとを含む電気コネクタにおいて、前記各第一側板には、回路基板２００に保持するための第一保持部３１５をそれぞれ下向きに延出するように形成され、前記第二側板の中部には継ぎ目３２６が形成され、該第二側板には継ぎ目から延出して前記回路基板に保持するための第二保持部３２５が形成されることを特徴とする。【選択図】図１
0003158697.tif 000002
【実用新案登録請求の範囲】
【請求項１】
基部と、前記基部から上向きに延出する舌片とを含む絶縁ハウジングと、
前記舌片に保持される接触部を有し、前記絶縁ハウジングに装着される導電端子と、
対向した一対の第一側板と、前記一対の第一側板を連接して対向した両第二側板とを含み、前記第一側板及び第二側板により前記舌片を収容する収容空間が構成され、金属板で一体に形成される金属シェルと
を含む電気コネクタにおいて、
前記各第一側板には、回路基板に保持するための第一保持部がそれぞれ下向きに延出するように形成され、
前記第二側板の中部には継ぎ目が形成され、該第二側板には継ぎ目から延出して前記回路基板に保持するための第二保持部が形成されることを特徴とする電気コネクタ。
【請求項２】
前記第二保持部は、前記継ぎ目の両側からそれぞれ延出し、両第二保持部が接近するように配置され回路基板の同じ孔に保持されることを特徴とする請求項１に記載の電気コネクタ。
【請求項３】
前記第二保持部は、前記継ぎ目から延出する本体部と、該本体部から下向きに延出して回路基板に保持される固定部とを含むことを特徴とする請求項１に記載の電気コネクタ。
【請求項４】
前記第一保持部と第二保持部とは、三角形を構成して、前記第二保持部が三角形の頂点に位置され、両第一保持部が三角形の他の両頂点にそれぞれ位置されることを特徴とする請求項３に記載の電気コネクタ。
【請求項５】
前記継ぎ目は、互いに係合した係合片と係止溝により継ぎ合わせられることを特徴とする請求項３に記載の電気コネクタ。
【請求項６】
前記導電端子は、複数の第一端子と第二端子とを含み、前記第一端子の第一接触部と第二端子の第二接触部とは、相手コネクタの挿入方向で二列に配置されることを特徴とする請求項１に記載の電気コネクタ。
【考案の詳細な説明】
【技術分野】
【０００１】
本考案は、電気コネクタに関し、特に、相手コネクタと回路基板上の回路とを導電接続するための電気コネクタに関する。
【背景技術】
【０００２】
従来技術の電気コネクタは、特許文献１に示されるように、絶縁ハウジングと、前記絶縁ハウジングに装着された複数の導電端子と、全体を囲むシールドシェルとを含み、前記絶縁ハウジングと前記シールドシェルとによって、相手コネクタを挿入する挿入空間が形成される。電気コネクタが回路基板に実装され、相手コネクタが挿入空間に挿入する方向が回路基板に直交している。シールドシェルが回路基板に直交するように配置される側板を有し、その中の互いに平行な側板には回路基板に保持するための保持片がそれぞれ形成され、電気コネクタが前記シールドシェルの保持片により回路基板に実装される。
【先行技術文献】
【特許文献】
【０００３】
【特許文献１】台湾実用新案公告第406874号明細書
【考案の概要】
【考案が解決しようとする課題】
【０００４】
しかしながら、従来の電気コネクタが回路基板に直交するように実装されるので、シールドシェルの側板での保持片だけでは左右方向へ偏る恐れがあり、電気コネクタと回路基板との接続が不安定になる問題があった。そこで新たな電気コネクタを開発することが必要であった。
【０００５】
本考案は上記問題点を解消するためになされたものであり、回路基板に安定に実装される電気コネクタを提供することを目的とする。
【課題を解決するための手段】
【０００６】
前記課題を解決するために、本考案は、基部と、前記基部から上向きに延出する舌片とを含む絶縁ハウジングと、前記舌片に保持される接触部を有し、前記絶縁ハウジングに装着される導電端子と、対向した一対の第一側板と、前記一対の第一側板を連接して対向した両第二側板とを含み、前記第一側板と第二側板により前記舌片を収容する収容空間が構成され、金属板で一体に成型される金属シェルとを含む電気コネクタにおいて、前記各第一側板には、回路基板に保持するための第一保持部をそれぞれ下向きに延出するように形成され、前記第二側板の中部には継ぎ目が形成され、該第二側板には継ぎ目から延出して前記回路基板に保持するための第二保持部が形成されることを特徴とする。
【考案の効果】
【０００７】
本考案の電気コネクタは、前記第一保持部と、第二保持部とが三角形を構成することにより回路基板に安定に保持され、また、前記両第二保持部が接近すると共に回路基板の同じ孔に保持されることで、金属シェルの継ぎ目が分裂することを防止できる。
【図面の簡単な説明】
【０００８】
【図１】本考案に係る電気コネクタが回路基板に実装された組立斜視図である。
【図２】本考案に係る電気コネクタの組立斜視図である。
【図３】本考案に係る電気コネクタの部分の分解斜視図である。
【図４】本考案に係る電気コネクタの分解斜視図である。
【図５】図４に示す電気コネクタのほかの角度から見た分解斜視図である。
【考案を実施するための形態】
【０００９】
以下、図１〜図５を参照しながら、本考案の電気コネクタ１００の実施形態について説明する。本考案の電気コネクタ１００は、回路基板２００に実装されると共に、相手コネクタを嵌合でき、絶縁ハウジング１と、絶縁ハウジング１に装着される複数の導電端子２と、位置決め部材４と、絶縁ハウジング1及び位置決め部材4を被覆する金属シェル３とを含む。
【００１０】
図４及び図５を参照すると、前記絶縁ハウジング１は、基部１１と基部１１から上向きに延出する舌板１２とを含み、舌片１２の一側壁には複数の第一端子溝１２１と第二端子溝１２２とが形成され、第一端子溝１２１、及び第二端子溝１２２は相手コネクタの挿入方向に沿って二列に配置され、第一端子溝１２１よりも第二端子溝が舌片１２の先端側に位置される。基部１１の一側には舌片１２の一側に位置する収容溝１１５と、収容溝１１５に連通する両側に保持溝１１６とが形成され、他側には係合溝１１４が形成される。
【００１１】
前記導電端子２は第一端子２１と第二端子２２とを含み、前記第一端子２１は第一端子溝１２１に収容される第一コンタクト部２１１と、絶縁ハウジング１から突出して回路基板に接続するための第一テール部２１３と、第一コンタクト部２１１と第一テール部２１３とを連接する第一連接部２１２とを含む。前記第二端子２２は第二端子溝１２２に収容される第二コンタクト部２２１と、絶縁ハウジング１から突出して回路基板に接続するための第二テール部２２３と、第二コンタクト部２２１と第二テール部２２３とを連接する第二連接部２２２とを含む。第一コンタクト部２１１と第二コンタクト部２２１とが舌片１２の同一な側面に配置され、第一コンタクト部２１１が第二コンタクト部２２１より舌片１２の先端から離れるように配置される。
【００１２】
位置決め部材４は前記収容溝１１５に収容され、両端部に前記保持溝１１６に係合される凸部４６が設けられ、前記凸部４６が保持溝１１６に係合することにより位置決め部材４が絶縁ハウジング１に保持される。また、位置決め部材４の一側に第一テール部２１３が挿入される保持孔４１が設けられ、他側に一対の係合溝４２が形成される。
【００１３】
金属シェル３は、一枚の金属板からなり、互いに平行に対向する一対の第一側板３１と、前記一対の第一側板３１を連接し互いに平行な一対の第二側板３２とを含む。前記第一側板３１と第二側板３２とが舌片１２を収容する収容空間３３を構成する。各第一側板３１の下端縁には回路基板２００に保持される第一保持部３１５が形成され、第一保持部３１５にフック状の保持部３１５１が設けられる。前記各第二側板には、収容空間３３へ向かって突出する一対の第一弾性片３２１が形成され、第一側板３１には収容空間３３へ向かって突出する一対の第三弾性片３１１が形成される。また、前記一方の第二側板３２の中部には金属板の継ぎ目３２６が形成され、他方の第二側板３２の中部には前記継ぎ目３２６に対向して、前記一対の第一弾性片３２１の間に位置する第二弾性片３２２が形成され、該第二弾性片３２２の延出方向は前記第一弾性片３２１の延出方向に反して、相手コネクタの挿入方向に沿って延出するように配置される。前記第一弾性片３２１、第二弾性片３２２、第三弾性片３１１によって相手コネクタが収容空間３３に安定して装着される。
【００１４】
一方の第二側板３２は回路基板２００に隣接する下端に絶縁ハウジング１の係合溝１１４に係合する係止片３２４が形成され、これにより金属シェル３が絶縁ハウジング１に保持される。他方の第二側板３２に位置決め部材４の係合溝４２に係合する係止片３２４が設けられ、これにより金属シェル３が位置決め部材４に保持される。前記他方の第二側板３２の継ぎ目３２６が互いに係合した係合片３２６１と係止溝３２６２とにより継ぎ合わせられる。
【００１５】
前記継ぎ目３２６の両側に回路基板２００に保持するための第二保持部３２５がそれぞれ延出するように一体に形成され、各第二保持部３２５は、継ぎ目３２６から延出した直角三角形状の本体部３２５１と、本体部３２５１から下向きに延出する固定部３２５２とを含み、両第二保持部３２５が接近するように配置され、回路基板２００の同一の孔に保持される。該第二保持部３２５と、両第一側板３１の第一保持部３１５とは二等辺三角形を構成して、両第二保持部３２５が二等辺三角形の同じ頂点に位置する。
【００１６】
電気コネクタ１００は、前記第一保持部３１５と、第二保持部３２５とが三角形を構成することにより回路基板２００に安定に保持され、また、前記両第二保持部３２５が接近すると共に回路基板の同じ孔に保持されることで、金属シェル３の継ぎ目３２６が分裂することを防止できる。
【００１７】
以上、本考案について最良の実施の形態を参照して詳細に説明したが、実施形態はあくまでも例示的なものであり、これらに限定されない。また、本考案に基づきなしうる細部の修正或は変更など、いずれも本考案の請求範囲に属するものとする。
【符号の説明】
【００１８】
１００  電気コネクタ
２００  回路基板
１  絶縁ハウジング
２  導電端子
３  金属シェル
【図１】
0003158697.tif 000003
【図２】
0003158697.tif 000004
【図３】
0003158697.tif 000005
【図４】
0003158697.tif 000006
【図５】
0003158697.tif 000007